(57)【要約】【課題】  棒状固形物用容器の構造を全体的にコンパクトにしながら、使用時に先端が押圧される棒状固形物が容器本体の内部へ没入することを確実に防止すること。【解決手段】  容器本体１０と保持具２０とを有してなる棒状固形物用容器１００であって、容器本体１０は、筒状体１１の開口部１２から長手方向に沿って延在されるスリット１４を備え、該スリット１４の延在方向に沿う複数位置には凹状部１５が備えられ、保持具２０は、棒状固形物１の下端面を受ける受部３０と、筒状体１１に備えたスリット１４の延在方向に沿って該筒状体１１の外周面を摺動する移動操作部４０と、該受部３０と該移動操作部４０とを連結して該スリット１４内を移動する連結部５０とを有するもの。【選択図】  図１
2019094080.tif 000002
【特許請求の範囲】
【請求項１】
棒状固形物が挿填される容器本体と、容器本体に挿填された棒状固形物を保持する保持具とを有してなる棒状固形物用容器であって、
容器本体は、筒状体からなり、該筒状体の開口部から長手方向に沿って延在されるスリットを該筒状体に備え、該スリットの延在方向に沿う複数位置には凹状部が備えられ、
保持具は、容器本体における筒状体の内部に配置されて棒状固形物の下端面を受ける受部と、該筒状体の外周面に摺接可能に添設されて該筒状体に備えたスリットの延在方向に沿って該筒状体の外周面を摺動する移動操作部と、該受部と該移動操作部とを連結し、該移動操作部が該筒状体の外周面を摺動するときに該筒状体に備えた該スリット内を該スリットの延在方向に沿って移動する連結部とを有し、
保持具の連結部は、筒状体に備えたスリット内を移動するとき、該スリットの延在方向に沿って備えてある各凹状部のそれぞれに順に係脱し、該凹状部に係入したときには該スリットの幅を拡げず、該凹状部から脱したときには該スリットの幅を拡げる方向に該筒状体を弾性的に拡径させる棒状固形物用容器。
【請求項２】
前記容器本体の筒状体が開口部の内縁に棒状固形物に食い込み得る突起部を備える請求項１に記載の棒状固形物用容器。
【請求項３】
前記保持具の受部が、棒状固形物の下端面を載置させただけの状態で受ける請求項１又は２に記載の棒状固形物用容器。
【請求項４】
前記容器本体が筒状体の周方向における２位置のそれぞれに第１と第２のスリットのそれぞれを備え、前記保持具が筒状体の外周面における第１と第２の各スリットを挟む両側部のそれぞれに添設される第１と第２の移動操作部のそれぞれを有し、
前記受部は第１と第２のスリット内のそれぞれに配置される第１と第２の連結部により第１と第２の移動操作部のそれぞれと連結される請求項１乃至３のいずれかに記載の棒状固形物用容器。
【請求項５】
前記容器本体が筒状体の周方向における単一位置に１つのスリットのみを備え、
前記保持具が筒状体の外周面における該スリットを挟む両側部に添設される１つの移動操作部のみを有し、
前記受部は、該スリット内に配置される１つの連結部により該移動操作部と連結されるとともに、該筒状体の内周面に沿う方向において該連結部が設けられる部位と反対側の部位に該筒状体の内周面に摺接する被ガイド部を備える請求項１乃至３のいずれかに記載の棒状固形物用容器。
【請求項６】
前記容器本体の筒状体が複数の側面を有する多角形状の外周面を備える請求項１乃至５のいずれかに記載の棒状固形物用容器。
【請求項７】
前記移動操作部は、前記筒状体の外周面に対し、対応するスリットを備えた側面に添設される中央添設部と、該側面の両側に位置する側面に添設される両側添設部を備える請求項６に記載の棒状固形物用容器。
【発明の詳細な説明】
【技術分野】
【０００１】
本発明は棒状固形物用容器に関する。
【背景技術】
【０００２】
従来、棒状固形物用容器として、特許文献１、２に記載のものがある。
特許文献１に記載の固体洗剤用容器は、容器本体に回転可能に設けた底部材に立設したねじ棒を容器本体の内部の概ね全長に渡って設けるとともに、このねじ棒に螺合して回転しない内底を容器本体の内部に設けて構成される。容器本体の内部のねじ棒まわりに収容されて内底の上に保持される固体洗剤は、底部材の回転操作によるねじ棒の回転によって内底とともにせり上げられ、該固体洗剤の先端が容器本体の開口部から突き出される。容器を反転させて固体洗剤の先端を衣類等に押圧して塗布する使用時に、固体洗剤はその押圧方向でねじ棒に螺合している内底に支えられ、容器本体の内部へ没入することがない。
【０００３】
特許文献２に記載のクレヨン・消しゴム等のホルダーは、先端部内面にてクレヨン・消しゴム等を嵌合し得るようにした軸筒の側面軸方向に縦溝を形成し、該縦溝に沿って一定間隔に係止孔を設け、軸筒内に嵌挿した摺動体には内外方向に弾性を有する片持梁状の操作部を前記縦溝より外方に突出するように形成し、該操作部の両側には係止孔に嵌合する係止部を突設してなるクレヨン・消しゴム等のホルダーにおいて、前記摺動体は、係止部が嵌合する係止孔の後方に位置する係止孔に係脱自在に嵌合し得る山形状の嵌合部を備える内外方向に弾性を有する長尺板を有してなるようにしたものである。使用時クレヨンで摺動体の先端が押圧されるが、係止部が係止孔に嵌合しているのでクレヨンが軸筒内に没入することはない。
【先行技術文献】
【特許文献】
【０００４】
【特許文献１】実用新案登録第3165896号公報
【特許文献２】実公昭62-18478号公報
【発明の概要】
【発明が解決しようとする課題】
【０００５】
特許文献１に記載の棒状固形物用容器では、使用時に先端が押圧される固体洗剤が容器本体の内部へ没入することを防止する手段が、容器本体に回転可能に設けられる底部材、容器本体の概ね全長に渡るように底部材に立設されたねじ棒、及びねじ棒に螺合して回転しない内底を必要とし、装置の構造が全体的に複雑になる。
【０００６】
特許文献２に記載の棒状固形物用容器では、使用時に先端が押圧されるクレヨン・消しゴム等が軸筒内に没入することを防止する手段が、弾性を有する片持梁状の操作部及び弾性を有する長尺板を有してなる摺動体を軸筒内の広い範囲に設ける必要があり、装置の構成が全体的に複雑になる。
【０００７】
本発明の課題は、棒状固形物用容器の構造を全体的にコンパクトにしながら、使用時に先端が押圧される棒状固形物が容器本体の内部へ没入することを確実に防止することにある。
【課題を解決するための手段】
【０００８】
請求項１に係る発明は、棒状固形物が挿填される容器本体と、容器本体に挿填された棒状固形物を保持する保持具とを有してなる棒状固形物用容器であって、容器本体は、筒状体からなり、該筒状体の開口部から長手方向に沿って延在されるスリットを該筒状体に備え、該スリットの延在方向に沿う複数位置には凹状部が備えられ、保持具は、容器本体における筒状体の内部に配置されて棒状固形物の下端面を受ける受部と、該筒状体の外周面に摺接可能に添設されて該筒状体に備えたスリットの延在方向に沿って該筒状体の外周面を摺動する移動操作部と、該受部と該移動操作部とを連結し、該移動操作部が該筒状体の外周面を摺動するときに該筒状体に備えた該スリット内を該スリットの延在方向に沿って移動する連結部とを有し、保持具の連結部は、筒状体に備えたスリット内を移動するとき、該スリットの延在方向に沿って備えてある各凹状部のそれぞれに順に係脱し、該凹状部に係入したときには該スリットの幅を拡げず、該凹状部から脱したときには該スリットの幅を拡げる方向に該筒状体を弾性的に拡径させるようにしたものである。
【発明の効果】
【０００９】
本発明によれば、棒状固形物用容器の構造を全体的にコンパクトにしながら、使用時に先端が押圧される棒状固形物が容器本体の内部へ没入することを確実に防止することができる。
【図面の簡単な説明】
【００１０】
【図１】図１は棒状固形物が挿填された実施例１の棒状固形物用容器を示し、（Ａ）は全体斜視図、（Ｂ）は分解斜視図である。
【図２】図２は棒状固形物用容器を示し、図１（Ａ）に対応する断面図である。
【図３】図３は棒状固形物用容器を示す正面図である。
【図４】図４は棒状固形物用容器を示す側面図である。
【図５】図５は棒状固形物用容器を示す平面図である。
【図６】図６は図４のVI-VI線に沿う断面図である。
【図７】図７は図５のVII-VII線に沿う断面図であり、（Ａ）は全体断面図、（Ｂ）は要部拡大図である。
【図８】図８は図５のVIII-VIII線に沿う断面図であり、（Ａ）は全体断面図、（Ｂ）は要部拡大図である。
【図９】図９は図５のIX-IX線に沿う断面図であり、（Ａ）は全体断面図、（Ｂ）は要部拡大図である。
【図１０】図１０は保持具を示し、（Ａ）は斜視図、（Ｂ）は平面図、（Ｃ）は（Ｂ）のC-C線に沿う断面図である。
【図１１】図１１は棒状固形物が挿填された実施例２の棒状固形物用容器を示し、（Ａ）は全体斜視図、（Ｂ）は分解斜視図である。
【図１２】図１２は棒状固形物用容器を示す正面図である。
【図１３】図１３は棒状固形物用容器を示す側面図である。
【図１４】図１４は図１３のXIV-XIV線に沿う断面図である。
【図１５】図１５は図１２のXV-XV線に沿う断面図であり、（Ａ）は全体断面図、（Ｂ）は要部拡大図である。
【図１６】図１６は保持具を示し、（Ａ）は斜視図、（Ｂ）は側面図、（Ｃ）は平面図、（Ｄ）は（Ｃ）のD-D線に沿う断面図である。
【発明を実施するための形態】
【００１１】
（実施例１）（図１乃至図１０）
実施例１に係る棒状固形物用容器１００は、図１、図２に示す如く、棒状固形物の一例としての六角棒状の固形洗剤１が挿填される容器本体１０と、容器本体１０に挿填された固形洗剤１を保持する保持具２０とを有する。利用者は、容器本体１０に保持具２０を組み込み、この保持具２０によって保持される固形洗剤１の先端１Ａを容器本体１０の開口部１２から外方へ突き出し、容器本体１０を把持した状態で固形洗剤１の先端１Ａを衣類等の汚れ部分に押圧して塗布する。これによって、通常の洗濯だけでは落ちにくい衣類等の汚れ部分に洗浄力の強い洗剤をなじませる前処理を行なうものとし、その後の通常の洗濯によってそれらの汚れを効果的に除去する。
【００１２】
尚、本実施形態の棒状固形物用容器１００では、容器本体１０及び保持具２０がそれらの中心軸を共通軸Ｏ（図３）上に配置して組立てられる。以下、棒状固形物用容器１００を正立させた状態で、この共通軸Ｏに沿う方向を上下方向とし、共通軸Ｏに沿って容器本体１０の開口部１２の側を上側、容器本体１０の底部１３の側を下側とする。上下は説明のため便宜的に示すものであり、使用状態での上下を示すものではない。また、共通軸Ｏに沿う方向を軸方向と称する。
【００１３】
容器本体１０は、図１乃至図９に示す如く、ポリプロピレン等の合成樹脂により成形された筒状体１１からなり、筒状体１１の上端部には開口部１２を備え、筒状体１１の下端部には底部１３を備える。筒状体１１は多角形状体をなし、本実施形態では正六角形状体をなし、複数の側面を有する（本実施形態では６個）。但し、本発明において、筒状体１１は円形状体をなし、或いは楕円形状体等の他の形状をなすものでも良い。また、筒状体１１は、木や金属等により、形成されていても良い。
【００１４】
容器本体１０は筒状体１１の開口部１２から共通軸Ｏに沿う方向である長手方向に沿って延在されるスリット１４を備え、該スリット１４の延在方向に沿う複数位置には複数段をなす各凹状部１５が備えられる。
【００１５】
筒状体１１は、概ね全長に渡る標準外径の六角形状部に共通軸Ｏと平行をなすスリット１４を形成するとともに、スリット１４が形成されない下端側部分を大外径の大六角形状部としている。この筒状体１１の大六角形状部は、容器１００を正立させるとき、作業台等に安定的に着座し得る底部１３になる。要するに、容器本体１０の筒状体１１は、スリット１４が形成されている開口部１２と、スリット１４が形成されていない底部１３とを具備している。
【００１６】
筒状体１１は、図７（Ｂ）に示す如く、スリット１４を挟んで相対する側縁部１４Ｌ、１４Ｌのそれぞれに、相対する円弧状の凹部１５Ｌ、１５Ｌを形成して備える。相対する凹部１５Ｌ、１５Ｌが相まって上述の凹状部１５を構成するものとされる。尚、スリット１４の片方の側縁部１４Ｌのみに凹部１５Ｌを形成して凹状部１５を構成しても良い。
【００１７】
尚、容器本体１０は、図１、図６に示す如く、筒状体１１の周方向における２位置のそれぞれに第１と第２のスリット１４Ａ、１４Ｂを備え、各スリット１４Ａ、１４Ｂのそれぞれに凹状部１５を備えるものとしている。
【００１８】
即ち、容器本体１０は、筒状体１１の六角形状をなす６個の側面のうち、共通軸Ｏを挟んで相対する２個の側面のそれぞれに各スリット１４Ａ、１４Ｂを相対するように備えるものとし、それらのスリット１４Ａ、１４Ｂを筒状体１１の周方向に沿う当該側面の長さ範囲の中央部に備えるものとしている。
【００１９】
また、容器本体１０は、図２、図９に示す如く、筒状体１１の開口部１２の内縁に固形洗剤１に食い込み得る爪状突起部１６を備える。本実施形態では、筒状体１１の六角形状をなす６個の各辺に対応する開口部１２の内縁に、それらの各辺の全長に渡る突起部１６を備える。尚、突起部１６は、この形状に限らず、各辺に対して断続的に複数形成されていても良い。
【００２０】
保持具２０は、容器本体１０に組み込み可能にされ、図１乃至図５、図７乃至図１０に示す如く、ポリプロピレン等の合成樹脂により成形されて受部３０と移動操作部４０と連結部５０とを一体に有する。即ち、保持具２０は、容器本体１０における筒状体１１の内部に配置されて固形洗剤１の下端面１Ｂを受ける受部３０と、筒状体１１の外周面に摺接可能に添設されて該筒状体１１に備えたスリット１４（１４Ａ、１４Ｂ）の延在方向に沿って該筒状体１１の外周面を摺動する移動操作部４０と、受部３０と移動操作部４０とを連結し、移動操作部４０が筒状体１１の外周面を摺動するときに該筒状体１１に備えた該スリット１４内を該スリット１４の延在方向に沿って移動する連結部５０とを有する。本実施形態では、移動操作部４０として第１と第２の移動操作部４０Ａ、４０Ｂを有し、連結部５０として第１と第２の連結部５０Ａ、５０Ｂを有する。利用者が第１と第２の移動
操作部４０Ａ、４０Ｂに加える押し上げ操作力又は押し下げ操作力によって該移動操作部４０Ａ、４０Ｂを筒状体１１の外周面に沿ってスリット１４Ａ、１４Ｂの延在方向に移動させるとき、該移動操作部４０Ａ、４０Ｂと連結部５０Ａ、５０Ｂによって連結されている受部３０が筒状体１１の内部を押し上げ方向又は押し下げ方向に上下動するものになる。尚、保持具２０は、木や金属等により、形成されていても良い。
【００２１】
受部３０は、筒状体１１の内周面に僅かな隙間Ｇ（図５、図１０（Ｂ））を介する平板３１を有し、この平板３１の上面に固形洗剤１の下端面１Ｂを載置させただけの状態で該固形洗剤１を受ける。本実施形態の平板３１は、正六角形状体からなる筒状体１１の内周面に僅かな隙間Ｇを介する正六角形状をなす。受部３０は、図８、図１０に示す如く、２枚の板３２Ｋ、３２Ｌを十字状に交差させて構成した十字板３２の上端部を平板３１の下面に接合して備える。一方の板３２Ｋは正六角形状をなす平板３１の１つの対角線上に配置され、他方の板３２Ｌはその板３２Ｋに直交するように配置される。
【００２２】
保持具２０は、図１０に示す如く、受部３０における平板３１の下面に接合されて十字板３２を構成している一方の板３２Ｌの両端部を該平板３１の下面の外方にまで延長し、この延長部のそれぞれが板状をなす第１と第２の連結部５０Ａ、５０Ｂとされ、これらの連結部５０Ａ、５０Ｂのそれぞれに第１と第２の移動操作部４０Ａ、４０Ｂが連結される。保持具２０の上下方向に沿う各移動操作部４０Ａ、４０Ｂの長さは、各連結部５０Ａ、５０Ｂの長さ（板３２Ｌの長さと同じ）と同等とされる。尚、各移動操作部４０Ａ、４０Ｂは利用者の例えば親指と人差し指に把持されて筒状体１１の外周面を前述の如くに摺動されるものであり、各移動操作部４０Ａ、４０Ｂの上述の上下方向に沿う長さはそれらの親指と人差し指につままれ得る程度とされる。
【００２３】
即ち、保持具２０は、容器本体１０における筒状体１１の共通軸Ｏを挟んで相対する外周面に備えた第１と第２の各スリット１４Ａ、１４Ｂを挟む両側部のそれぞれに第１と第２の移動操作部４０Ａ、４０Ｂのそれぞれを添設して有する。これにより、受部３０は、筒状体１１の第１と第２のスリット１４Ａ、１４Ｂ内のそれぞれに配置される第１と第２の連結部５０Ａ、５０Ｂにより第１と第２の移動操作部４０Ａ、４０Ｂのそれぞれと連結される。
【００２４】
このとき、第１と第２の各移動操作部４０Ａ、４０Ｂは、容器本体１０における筒状体１１の共通軸Ｏを挟んで相対し、かつ当該移動操作部４０Ａ、４０Ｂが連結されている連結部５０Ａ、５０Ｂが配置されるスリット１４Ａ、１４Ｂを中央部に置く該筒状体１１の概ね半周分の外周面に添設され、該筒状体１１が相対するスリット１４Ａ、１４Ｂの存在によって周方向で半割りされる如くに２分された該筒状体１１におけるスリット１４Ａ、１４Ｂの幅の過度な拡大を抑制する。
【００２５】
本実施形態において、各移動操作部４０Ａ、４０Ｂは、図５、図１０に示す如く、筒状体１１の六角形状をなす外周面の半周分を構成する３個の側面のそれぞれに対し、対応するスリット１４Ａ、１４Ｂを備えた１個の側面に添設される中央添設部４１と、この１個の側面の両側に位置する２個の側面に添設される両側添設部４２、４３の３個の添設部４１乃至４３を備える。
【００２６】
しかるに、前述の板状をなす第１と第２の連結部５０Ａ、５０Ｂは、図７、図１０に示す如く、保持具２０の軸方向に沿う上端部に、その板面を両側に膨出させた凸状部５１を備えることとしている。各連結部５０Ａ、５０Ｂの凸状部５１は、筒状体１１に備えられて相対する各スリット１４Ａ、１４Ｂ内を移動するとき、該スリット１４Ａ、１４Ｂの延在方向に沿って備えてある各凹状部１５のそれぞれに順に係脱する。そして、凸状部５１は、凹状部１５に係入したときには該スリット１４Ａ、１４Ｂの幅ｗ（図７）を拡げず、該凹状部１５から脱したときには該スリット１４Ａ、１４Ｂの幅ｗを拡げる方向にそれらのスリット１４Ａ、１４Ｂの側縁部１４Ｌと圧接しながら滑り、該筒状体１１を弾性的に拡径させる。
【００２７】
そして、棒状固形物用容器１００では、利用者の手指によって筒状体１１及び保持具２０の両移動操作部４０Ａ、４０Ｂが把持されていない自由状態で、保持具２０の各連結部５０Ａ、５０Ｂに備えた凸状部５１が、容器本体１０における筒状体１１の各スリット１４Ａ、１４Ｂに備えてある各凹状部１５のいずれかに係入されており、保持具２０が容器本体１０の上下方向に沿う任意の位置に停留される。この自由状態で、容器本体１０に固形洗剤１が挿填されているならば、この固形洗剤１の重量を支える受部３０の筒状体１１内における落下が阻止される。
【００２８】
また、容器本体１０に挿填された固形洗剤１が衣類等に押圧されて塗布される棒状固形物用容器１００の使用時には、利用者の手の平に包まれて強く把持される容器本体１０の筒状体１１が縮径されて該筒状体１１におけるスリット１４Ａ、１４Ｂの幅ｗを縮める結果、保持具２０の各連結部５０Ａ、５０Ｂに備える凸状部５１が該スリット１４Ａ、１４Ｂの凹状部１５から脱することなく該凹状部１５内に確実に保持される。これにより、容器本体１０の筒状体１１に対する保持具２０の各連結部５０Ａ、５０Ｂ及び受部３０の移動が確実に阻止され、容器本体１０の内部への固形洗剤１の没入が確実に防止される。
【００２９】
従って、棒状固形物用容器１００は以下の如くに使用される。
(1)容器本体１０に保持具２０を組み込む。保持具２０の各連結部５０Ａ、５０Ｂを容器本体１０の筒状体１１に備えてある各スリット１４Ａ、１４Ｂに差し込み、各連結部５０Ａ、５０Ｂが備える凸状部５１を筒状体１１の各スリット１４Ａ、１４Ｂに備えてある最下段側のいずれかの凹状部１５に係入させ、保持具２０の受部３０を筒状体１１の内部の適宜位置に位置付ける。
【００３０】
(2)容器本体１０に固形洗剤１を挿填する。固形洗剤１の下端面１Ｂが、容器本体１０における筒状体１１の内部に位置付けられている受部３０の上に載置されるだけの状態で支持される。このとき、棒状固形物用容器１００は作業台等の上に正立された自由状態で着座され、固形洗剤１の先端１Ａは筒状体１１の開口部１２よりも該筒状体１１の内方に位置付けられる。
【００３１】
(3)利用者の一方の手指によって容器本体１０の底部１３を把持し、他方の手指によって把持される保持具２０の両移動操作部４０Ａ、４０Ｂを筒状体１１の外周面に沿って該筒状体１１における開口部１２の側へ移動させる。このとき、各連結部５０Ａ、５０Ｂが備える凸状部５１は、前述(1)の凹状部１５への係入を脱し、当該凹状部１５の上方の各スリット１４Ａ、１４Ｂの幅ｗを拡げる方向に該筒状体１１を拡径しつつ該スリット１４Ａ、１４Ｂ内を移動した後、各スリット１４Ａ、１４Ｂの上段側の凹状部１５に係入し、受部３０を筒状体１１の内部の適宜位置に上昇させる。これによって筒状体１１の内部を上方に移動した受部３０に支持されている固形洗剤１の先端１Ａを筒状体１１の開口部１２より外方へ突き出す。
【００３２】
続いて、利用者の手の平に筒状体１１を包んで強く把持し、該筒状体１１を縮径させることにて、各連結部５０Ａ、５０Ｂが備える凸状部５１を各スリット１４Ａ、１４Ｂの凹状部１５内に確実に保持する。これにより、筒状体１１に対する各連結部５０Ａ、５０Ｂ及び受部３０の移動を確実に阻止する。この状態で、利用者は筒状体１１を手の平に強く把持したまま該筒状体１１を反転し、筒状体１１の開口部１２から突き出ている固形洗剤１の先端１Ａを作業台等の上にある衣類等の汚れ部分に押圧して塗布する。
【００３３】
(4)容器本体１０の筒状体１１を上述(3)の反転状態から正立状態に戻す。利用者の一方の手指によって容器本体１０の底部１３を把持し、他方の手指によって把持される保持具２０の各移動操作部４０Ａ、４０Ｂを筒状体１１の外周面に沿って該筒状体１１における底部１３の側へ移動し、各連結部５０Ａ、５０Ｂの凸状部５１を各スリット１４ＡＡ、１４Ｂの下段側の凹状部１５に係入させ、受部３０を筒状体１１の内部の適宜位置に下降させる。これによって受部３０に支持されている固形洗剤１の先端１Ａが筒状体１１の開口部１２よりも該筒状体１１の内方に位置付けられ、棒状固形物用容器１００は作業台等の上に正立された自由状態にて待機するものとなる。
【００３４】
本実施形態によれば以下の作用効果を奏する。
(a)棒状固形物用容器１００が有する保持具２０の移動操作部４０を容器本体１０における筒状体１１に備えたスリット１４の延在方向に沿って押し上げ操作させ、移動操作部４０と受部３０とを連結している連結部５０を該スリット１４内にて該スリット１４の延在方向に沿って移動させると、該移動操作部４０は該筒状体１１の外周面を押し上げ方向に摺動し、該移動操作部４０に連結されている受部３０が受けている固形洗剤１を該筒状体１１の内部から押し上げてその先端１Ａを該筒状体１１の開口部１２から突き出す。
【００３５】
棒状固形物用容器１００を反転して固形洗剤１の先端１Ａを衣類等に押圧して塗布する使用時には、移動操作部４０と受部３０とを連結している連結部５０を筒状体１１に備えたスリット１４に備えてあるいずれかの凹状部１５に係入させた状態で、該筒状体１１を強く把持すると、該連結部５０が該スリット１４に備えてある上記凹状部１５から脱することなく確実に保持され、移動操作部４０及び受部３０の該スリット１４の延在方向への移動が阻止される。
【００３６】
これにより、棒状固形物用容器１００は、固形洗剤１を衣類等に押圧して塗布する上述の使用時に、上記スリット１４の延在方向への移動が上述の如くに阻止されている受部３０によって該固形洗剤１を確実に支え、この固形洗剤１が容器本体１０の内部へ没入することを確実に防止できる。
【００３７】
(b)前述(a)において保持具２０の移動操作部４０を容器本体１０における筒状体１１に備えたスリット１４の延在方向に沿って押し上げ操作、又は押し下げ操作させるとき、該移動操作部４０と受部３０との連結部５０は、該筒状体１１に備えた該スリット１４に備えてある各凹状部１５のそれぞれとの係合を脱する度に、該スリット１４の幅ｗを拡げる方向に該筒状体１１を拡径させる。これにより、筒状体１１のスリット１４の幅ｗを拡げながら、保持具２０の移動操作部４０及び受部３０を該スリット１４の延在方向に沿って移動するものになり、該筒状体１１の内面に対する固形洗剤１の付着を引き剥がし、該固形洗剤１を該筒状体１１の内部で円滑に押し上げ、又は押し下げできる。
【００３８】
(c)棒状固形物用容器１００は、筒状体１１に備えるスリット１４の延在方向に沿う複数位置に凹状部１５を備えた簡素な容器本体１０を有する。また、棒状固形物用容器１００は、容器本体１０が有する筒状体１１の外周面に摺接可能に添設される移動操作部４０と、該筒状体１１の内部に配置されて固形洗剤１の下端面１Ｂを受ける受部３０とを連結する連結部５０が、該筒状体１１の該スリット１４に備えてある各凹状部１５のそれぞれと係脱し得るようにした小型かつ簡素な保持具２０とを有することによって上述(a)、(b)を実現できる。即ち、棒状固形物用容器１００の構造を全体的にコンパクトにしながら、使用時に先端１Ａが押圧される固形洗剤１が容器本体１０の内部へ没入することを確実に防止できる。
【００３９】
(d)棒状固形物用容器１００は、容器本体１０の筒状体１１が開口部１２の内縁に固形洗剤１に食い込み得る突起部１６を備える。従って、前述(a)において筒状体１１を強く把持すると、該筒状体１１は該筒状体１１に備えたスリット１４の幅ｗを縮めるように縮径され、該筒状体１１の開口部１２に備えた上述の突起部１６が固形洗剤１に食い込んで、この固形洗剤１の容器本体１０の内部への没入、また棒状固形物用容器１００を反転して固形洗剤１の先端１Ａを衣類等に押圧して塗布する際の固形洗剤１の脱落を一層確実に防止できる。
【００４０】
(e)棒状固形物用容器１００は、保持具２０の受部３０が、固形洗剤１の下端面１Ｂを載置させただけの状態で受ける。これにより、固形洗剤１の詰替え時等に、固形洗剤１を受部３０に固定する必要がなく、挿填し易い。
【００４１】
また、固形洗剤１は受部３０に固定される部位がないから、固形洗剤１の全体を筒状体１１の開口部１２まで押し上げたり、また少なくなった固形洗剤１を容易に取り外して使うこともでき、固形洗剤１の全部を無駄なく使い切りできる。
【００４２】
(f)棒状固形物用容器１００において、容器本体１０が筒状体１１の周方向における２位置のそれぞれに第１と第２のスリット１４Ａ、１４Ｂのそれぞれを備え、保持具２０が該筒状体１１の外周面における第１と第２の各スリット１４Ａ、１４Ｂを挟む両側部のそれぞれに添設される第１と第２の移動操作部４０Ａ、４０Ｂのそれぞれを有するものとした。従って、筒状体１１の平面視で中心軸Ｏに関する概ね両側の外周面に第１と第２の移動操作部４０Ａ、４０Ｂを配置するものになり、第１と第２の移動操作部４０Ａ、４０Ｂに付与する押し上げ操作力、又は押し下げ操作力が筒状体１１の中心軸Ｏに関する概ね両側において互いに概ね均衡するものになり、第１と第２の移動操作部４０Ａ、４０Ｂを筒状体１１の周方向における２位置において安定的に押し上げ操作、又は押し下げ操作できる。
【００４３】
(g)棒状固形物用容器１００は、容器本体１０の筒状体１１が六角形等の多角形状の外周面を備えるものとしたから、作業台等の上で転がりにくく、取扱性が向上する。
【００４４】
(h)棒状固形物用容器１００は、容器本体１０の筒状体１１が、スリット１４が形成されている開口部１２と、スリット１４が形成されていない底部１３とを具備している。これにより、容器本体１０に保持具２０を組み込み易く、容器本体１０からの保持具２０の落下を確実に防止できる。
【００４５】
（実施例２）（図１１乃至図１６）
実施例２に係る棒状固形物用容器２００は、図１１に示す如く、実施例１の棒状固形物用容器１００における容器本体１０と保持具２０に相当する容器本体２１０と保持具２２０とを有する。
【００４６】
棒状固形物用容器２００の容器本体２１０は、図１１乃至図１５に示す如く、棒状固形物用容器１００の容器本体１０におけると同様の筒状体１１、開口部１２、底部１３、スリット１４、凹状部１５、突起部１６を備える。そして、容器本体２１０が容器本体１０と異なる点は、筒状体１１の周方向における単一位置に１つのスリット１４のみを備えたことにある。
【００４７】
即ち、容器本体２１０は、筒状体１１の六角形状をなす６個の側面のうちの１個の側面にだけスリット１４を備えるものとし、当該スリット１４を筒状体１１の周方向に沿う当該側面の長さ範囲の中央部に備えるものとしている。
【００４８】
棒状固形物用容器２００の保持具２２０は、図１１乃至図１３、図１５、図１６に示す如く、棒状固形物用容器１００の保持具２０におけると同様の受部３０、移動操作部４０、連結部５０を備える。そして、保持具２２０が保持具２０と異なる点は、容器本体２１０が備える筒状体１１の外周面における上述のスリット１４を挟む両側部に添設される１つの移動操作部４０のみを有する。
【００４９】
これに伴い、保持具２２０の受部３０は、容器本体２１０が備える筒状体１１のスリット１４内に配置される１つの連結部５０により上述の移動操作部４０と連結される。そして、保持具２２０の受部３０は、筒状体１１の内周面に沿う方向において、該連結部５０が設けられる部位と反対側の部位に、筒状体１１の内周面に衝合して摺接する被ガイド部３３を備える。
【００５０】
このとき、保持具２２０の受部３０は、図１５、図１６に示す如く、保持具２０の受部３０におけると同様の平板３１及び十字板３２（板３２Ｋ、３２Ｌ）によって構成され、十字板３２を構成している一方の板３２Ｌの一端部を該平板３１の下面の外方にまで延長し、この延長部が板状をなす連結部５０とされ、この連結部５０に移動操作部４０が連結される。また、十字板３２を構成している上記板３２Ｌの他端部が該平板３１の下面の外方にまで延長され、この延長部が板状をなして筒状体１１の内周面に衝合する被ガイド部３３とされる。
【００５１】
また、保持具２２０の移動操作部４０は、保持具２０の一方の移動操作部４０Ａにおけると同様に、当該移動操作部４０が連結されている連結部５０が配置されるスリット１４を中央部に置く該筒状体１１の概ね半周分の外周面に添設される。本実施形態において、移動操作部４０は、筒状体１１の六角形状をなす外周面の半周分を構成する３個の側面のそれぞれに対し、対応するスリット１４を備えた１個の側面に添設される中央添設部４１と、この１個の側面の両側に位置する２個の側面に添設される両側添設部４２、４３の３個の添設部４１乃至４３を備える。
【００５２】
また、保持具２２０の連結部５０は、保持具２０の一方の連結部５０Ａにおけると同様に、保持具２２０の軸方向に沿う上端部に、その板面を両側に膨出させた凸状部５１を備える。
【００５３】
そして、棒状固形物用容器２００は、自由状態で、保持具２２０の連結部５０に備えた凸状部５１が、容器本体２１０における筒状体１１のスリット１４に備えてある各凹状部１５のいずれかに係入されており、保持具２２０が容器本体２１０の上下方向に沿う任意の位置に停留される。この自由状態で、容器本体２１０に固形洗剤１が挿填されているならば、この固形洗剤１の重量を支える受部３０の筒状体１１内における落下が阻止される。
【００５４】
また、容器本体２１０に挿填された固形洗剤１が衣類等に押圧されて塗布される棒状固形物用容器２００の使用時には、利用者の手の平に包まれて強く把持される容器本体２１０の筒状体１１が縮径されて該筒状体１１におけるスリット１４の幅ｗを縮める結果、保持具２２０の連結部５０が備える凸状部５１が該スリット１４の凹状部１５から脱することなく該凹状部１５内に確実に保持される。これにより、容器本体２１０の筒状体１１に対する保持具２２０の連結部５０及び受部３０の移動が確実に阻止され、容器本体２１０の内部への固形洗剤１の没入が確実に防止される。
【００５５】
従って、棒状固形物用容器２００にあっても、棒状固形物用容器１００におけると実質的に同様にして使用される。
【００５６】
また、棒状固形物用容器２００によれば、棒状固形物用容器１００における前述(a)乃至(e)、(g)、(h)と同様の作用効果を奏する他、以下の作用効果を奏する。
【００５７】
棒状固形物用容器２００において、容器本体２１０が筒状体１１の周方向における単一位置に１つのスリット１４のみを備え、保持具２２０が該筒状体１１の外周面における該１つのスリット１４を挟む両側部に添設される１つの移動操作部４０のみを有するものとした。従って、保持具２２０の構造は簡素である。このとき、移動操作部４０に付与する押し上げ操作力、又は押し下げ操作力が筒状体１１の周方向における単一位置である一側のみに偏在し、受部３０は、筒状体１１の内周面に沿う一側に対して他側を傾かせるものになる。ところが、受部３０は筒状体１１の内周面に沿う方向において移動操作部４０との連結部５０が設けられる部位に対する反対側の部位となる他側に該筒状体１１の内周面に摺接する被ガイド部３３を備えるものとした。これにより、受部３０は当該被ガイド部３３の存在によって上述の筒状体１１の内周面に沿う一側に対する他側の傾きを生じさせることなく、該筒状体１１の周方向における片側単一位置において移動操作部４０に加える押し上げ操作力、又は押し下げ操作力によっても該受部３０を傾かせることなく安定的に押し上げ操作、又は押し下げ操作できる。
【００５８】
本発明において、棒状固形物は、固形洗剤１に限られず、固形ワックス、クレヨン、消しゴム、ファンデーション、口紅等の対象物に塗布あるいは接触させて用いられる物品が挙げられる。
【産業上の利用可能性】
【００５９】
本発明によれば、棒状固形物用容器の構造を全体的にコンパクトにしながら、使用時に先端が押圧される棒状固形物が容器本体の内部へ没入することを確実に防止することができる。
【符号の説明】
【００６０】
１  固形洗剤（棒状固形物）
１Ａ  先端
１Ｂ  下端面
１００、２００  棒状固形物用容器
１０、２１０  容器本体
１１  筒状体
１２  開口部
１４  スリット
１５  凹状部
１６  突起部
２０、２２０  保持具
３０  受部
４０、４０Ａ、４０Ｂ  移動操作部
５０、５０Ａ、５０Ｂ  連結部
５１  凸状部
【図１】
2019094080.tif 000003
【図２】
2019094080.tif 000004
【図３】
2019094080.tif 000005
【図４】
2019094080.tif 000006
【図５】
2019094080.tif 000007
【図６】
2019094080.tif 000008
【図７】
2019094080.tif 000009
【図８】
2019094080.tif 000010
【図９】
2019094080.tif 000011
【図１０】
2019094080.tif 000012
【図１１】
2019094080.tif 000013
【図１２】
2019094080.tif 000014
【図１３】
2019094080.tif 000015
【図１４】
2019094080.tif 000016
【図１５】
2019094080.tif 000017
【図１６】
2019094080.tif 000018